(57)【要約】      （修正有）【課題】出力側に接続された電気回路を異常電流から保護可能であり、コンパクト且つ安価な構成で入力電源を分岐して複数の出力電源として出力可能な端子台を提供する。【解決手段】絶縁性の筐体と、筐体に固定される入力側導電金具２０と、出力側導電金具３０と、入力側導電金具と出力側導電金具とを導通するヒューズ４０とを備え、出力側導電金具に複数の出力端子ネジ３４が設けられる。ヒューズによって異常電流から電気回路を保護し、複数の出力端子ネジ３４が設けられた出力側導電金具３０によってコンパクトなサイズで入力電源を分岐して複数の出力電源として出力する。【選択図】図１
0003165637.tif 000002
【実用新案登録請求の範囲】
【請求項１】
絶縁性の筐体と、前記筐体に固定される入力側導電金具と、前記筐体に前記入力側導電金具とは離間して固定される出力側導電金具と、前記入力側導電金具と前記出力側導電金具とを導通するヒューズとを備えた端子台であって、
前記出力側導電金具に複数の出力端子部が設けられたことを特徴とする端子台。
【請求項２】
前記出力側導電金具は、前記各出力端子部が設けられる端子面が段違いに複数形成されたことを特徴とする請求項１に記載の端子台。
【請求項３】
前記各端子面に設けられた前記各出力端子部の水平位置は、電線接続方向と交差する方向において互いに異なるように設定されたことを特徴とする請求項２に記載の端子台。
【請求項４】
前記ヒューズは、ネジ締め式ヒューズからなり、前記入力側導電金具と前記出力側導電金具とにそれぞれ金属ネジを介して固定されたことを特徴とする請求項１乃至３のいずれか１つに記載の端子台。
【請求項５】
前記ヒューズは、クリップ式ヒューズからなり、前記入力側導電金具と前記出力側導電金具とにそれぞれ取り付けられた金属ホルダを介して固定されたことを特徴とする請求項１乃至３のいずれか１つに記載の端子台。
【考案の詳細な説明】
【技術分野】
【０００１】
本考案は端子台に関し、特に入力側導電金具と出力側導電金具とを導通するヒューズを備えた端子台に関する。
【背景技術】
【０００２】
従来、電気回路を異常電流から保護するために、ヒューズ付きの端子台が実用に供されている（例えば、特許文献１等参照。）。ここで、図６は、従来例のヒューズ付き端子台１０１を示す平面図である。従来例のヒューズ付き端子台１０１は、絶縁性のケース１１０と、ケース１１０に固定される入力側導電金具１２０と、ケース１１０に入力側導電金具１２０とは離間して固定される出力側導電金具１３０と、入力側導電金具１２０と出力側導電金具１３０とを導通するヒューズ１４０とを備えている。入力側導電金具１２０には、入力側端子部としての１本の入力端子ネジ１２１が螺合している。同様に、出力側導電金具１３０には、出力側端子部としての１本の出力端子ネジ１３４が螺合している。ヒューズ１４０は、ヒューズ本体１４１の両端に設けられた一対のタブ端子１４２をボルト１４３で締め付けることにより、入力側導電金具１２０と出力側導電金具１３０とに電気的に導通するように取り付けられる。そして、入力端子ネジ１２１には入力側電線が、出力端子ネジ１３４には出力側電線がそれぞれ接続される。
【先行技術文献】
【特許文献】
【０００３】
【特許文献１】特開平１１−２７３５４５号公報
【考案の概要】
【考案が解決しようとする課題】
【０００４】
しかしながら、上述した従来例の端子台１０１では、出力側導電金具１３０に設けられた端子部（出力端子ネジ１３４）が1個のみであるため、出力側を２個以上に分岐させることは不可能である。このため、例えば、従来例の端子台１０１を用いて出力側を４個に分岐させるためには、図７に示すように、５個の端子部（端子ネジ２１０）を有する銅バー２０１を設け、さらに出力側導電金具１３０の端子部（出力端子ネジ１３４）と銅バー２０１の１個の端子部（端子ネジ２１０）とをショートバー３０１で導通させて使用しなければならない。従って、大きなスペースが必要になると共に、組み付けにも手間がかかり、出力側に多くの導電部材（銅等）が必要となってコストも高くなるという問題があった。さらに、出力側導電金具１３０にショートバー３０１及び銅バー２０１が接続されることにより、接触抵抗が大きくなるため、特に出力側の電気回路から逆流する異常電流に対してヒューズ１４０の即断性が低下するという問題もあった。
【０００５】
本考案は上記課題に鑑みてなされたものであり、出力側に接続された電気回路を異常電流から保護可能であり、コンパクト且つ安価な構成で入力電源を分岐して複数の出力電源として出力可能な端子台を提供することを目的とする。
【課題を解決するための手段】
【０００６】
以下、上記課題を解決するのに適した各手段につき、必要に応じて作用効果等を付記しつつ説明する。
【０００７】
（請求項１）  絶縁性の筐体と、前記筐体に固定される入力側導電金具と、前記筐体に前記入力側導電金具とは離間して固定される出力側導電金具と、前記入力側導電金具と前記出力側導電金具とを導通するヒューズとを備えた端子台であって、
前記出力側導電金具に複数の出力端子部が設けられたことを特徴とする端子台。
【０００８】
請求項１に記載の考案によれば、絶縁性の筐体と、筐体に固定される入力側導電金具と、筐体に入力側導電金具とは離間して固定される出力側導電金具と、入力側導電金具と出力側導電金具とを導通するヒューズとを備える端子台であって、出力側導電金具に複数の出力端子部が設けられているので、出力側導電金具の各端子部に電線を介して接続された電気回路を、定格以上の電流によって溶断するヒューズによって異常電流から保護可能であると共に、入力側導電金具に供給される入力電源を複数の出力端子部が設けられた出力側導電金具によってコンパクトなサイズで分岐して複数の出力電源として出力することができる。
【０００９】
すなわち、入力と出力とが１対１で設けられた従来のヒューズ付き端子台では、入力電源を分岐して複数の出力電源として出力するためには、例えば、端子台とは別に複数の端子部を有する銅バーを設けると共に、出力側導電金具と銅バーとをショートバー等を介して接続する必要があった。これに対し、本手段によれば、銅バーやショートバーを設けることなく、よりコンパクトなサイズで出力電源を分岐することができる。
【００１０】
また、上述した従来のヒューズ付き端子台では、出力側導電金具にショートバー及び銅バーが接続されることにより、接触抵抗が大きくなるため、特に出力側の電気回路から逆流する異常電流に対してヒューズの即断性が低下するという問題があった。これに対し、本手段では、出力側が出力側導電金具のみからなるため、上述した問題はなく、入力側及び出力側のいずれからの異常電流に対してもヒューズの即断性を確保することができる。さらに、出力側における導電部材の材料（銅等の金属）の使用量が少なくなり、端子台をより安価に製造することが可能となる。
【００１１】
（請求項２）  前記出力側導電金具は、前記各出力端子部が設けられる端子面が段違いに複数形成されたことを特徴とする請求項１に記載の端子台。
【００１２】
請求項２に記載の考案によれば、出力側導電金具は、各出力端子部が設けられる端子面が段違いに複数形成されているので、出力側導電金具並びに筐体のサイズを小さく設定することができ、端子台全体をコンパクト化することが可能となる。また、出力端子部が設けられる各端子面が段違いとなっているため、各出力端子部に接続される電線同士が干渉することがなく、各電線の接続作業を容易に行うことができる。
【００１３】
（請求項３）  前記各端子面に設けられた前記各出力端子部の水平位置は、電線接続方向と交差する方向において互いに異なるように設定されたことを特徴とする請求項２に記載の端子台。
【００１４】
請求項３に記載の考案によれば、各端子面に設けられた各出力端子部の水平位置は、電線接続方向と交差する方向において互いに異なるように設定されているので、メンテナンス時における出力端子部のネジ締め点検等の際に、段違いの他の端子面に設けられた出力端子部に接続された電線にドライバ等の工具が接触することなく、ネジの増す締め作業等を効率的に行うことができる。
【００１５】
（請求項４）  前記ヒューズは、ネジ締め式ヒューズからなり、前記入力側導電金具と前記出力側導電金具とにそれぞれ金属ネジを介して固定されたことを特徴とする請求項１乃至３のいずれか１つに記載の端子台。
【００１６】
請求項４に記載の考案によれば、ネジ締め式ヒューズは、入力側導電金具と出力側導電金具とにそれぞれ金属ネジを介して固定されることにより、入力側導電金具と出力側導電金具とを確実に導通する。
【００１７】
（請求項５）  前記ヒューズは、クリップ式ヒューズからなり、前記入力側導電金具と前記出力側導電金具とにそれぞれ取り付けられた金属ホルダを介して固定されたことを特徴とする請求項１乃至３のいずれか１つに記載の端子台。
【００１８】
請求項５に記載の考案によれば、クリップ式ヒューズは、入力側導電金具と出力側導電金具とにそれぞれ取り付けられた金属ホルダを介して固定されることにより、入力側導電金具と出力側導電金具とを確実に導通する。
【考案の効果】
【００１９】
本考案によれば、出力側導電金具の各端子部に電線を介して接続された電気回路を、定格以上の電流によって溶断するヒューズによって異常電流から保護可能であると共に、入力側導電金具に供給される入力電源を複数の出力端子部が設けられた出力側導電金具によってコンパクトなサイズで分岐して複数の出力電源として出力することができる。
【図面の簡単な説明】
【００２０】
【図１】本考案の一実施形態の端子台を示す図であり、（ａ）は平面図、（ｂ）は正面図、（ｃ）は側面図である。
【図２】図１（ｂ）における端子台のＡ−Ａ線断面図である。
【図３】端子台の使用状態を示す図であり、（ａ）は平面図、（ｂ）は正面図、（ｃ）は側面図である。
【図４】図３（ｂ）における端子台のＢ−Ｂ線断面図である。
【図５】クリップ式のヒューズを採用した変形例の端子台を示す図であり、（ａ）は平面図、（ｂ）は正面図である。
【図６】従来例のヒューズ付き端子台を示す平面図である。
【図７】従来例のヒューズ付き端子台を用いて出力側を複数に分岐させるための構成例を示す平面図である。
【考案を実施するための形態】
【００２１】
以下、本考案の端子台を具体化した一実施形態について図面を参照しつつ説明する。
図１は、本考案の一実施形態の端子台１を示す図であり、（ａ）は平面図、（ｂ）は正面図、（ｃ）は側面図である。図２は、図１（ｂ）における端子台１のＡ−Ａ線断面図である。
【００２２】
端子台１は、図１，２に示すように、ケース１０と、入力側導電金具２０と、出力側導電金具３０と、ヒューズ４０と、記号板５０と、透明カバー６０とを主要部材として構成されている。
【００２３】
ケース１０は、合成樹脂材料（例えば、ＡＢＳ樹脂）からなる上面及び前後面が開放された略箱形を呈する絶縁性の筐体である。ケース１０には、前後に延びる台座部１１が形成されると共に、台座部１１の左右両側には側壁部１９が立設されている。
【００２４】
台座部１１は、後方側の入力側台座部１２と、前後方向略中央の中間部１３と、前方側の出力側台座部１３とからなる。
【００２５】
入力側台座部１２は、入力側導電金具２０を固定するための台座であって、左右に延びる３つの立壁部１２１，１２２，１２３を備えている。後方側の立壁部１２１には、前面にリブ１２１ａが左右２か所に突設されている。中間の立壁部１２２には、入力側導電金具２０取付け用の雌ネジ金具（図示せず）が埋設されるボス部１２２ａが左右２か所に設けられている。前方側の立壁部１２３には、後面にリブ１２３ａが左右２か所に突設されている。立壁部１２１，１２３は、上端面の高さが同一である。リブ１２１ａ、立壁部１２１、及びリブ１２３ａは、それぞれ高さが同一であって、立壁部１２１，１２３上端面の高さよりも入力側導電金具２０の厚さ分低く設定されており、これらの上端面にて入力側導電金具２０が支持される。
【００２６】
出力側台座部１４は、出力側導電金具３０を固定するための台座であって、入力側台座部１２と同一の高さを有する上段部１５と、上段部１５よりも一段低い下段部１６とからなる。
【００２７】
上段部１５は、左右に延びる３つの立壁部１５１，１５２，１５３を備えている。また、立壁部１５２，１５３間には前後に延びる立壁部１５５が中央に設けられている。後方側の立壁部１５１には、前面にリブ１５１ａが左右２か所に突設されている。中間の立壁部１５２には、出力側導電金具３０取付け用の雌ネジ金具（図示せず）が埋設されるボス部１５２ａが左右２か所に設けられている。立壁部１５１は、上端面の高さが立壁部１２３と同一である。また、リブ１５１ａ、立壁部１５２，１５５及び前方側の立壁部１５３は、それぞれ上端面の高さが同一であって、立壁部１５１上端面の高さよりも出力側導電金具３０の厚さ分低く設定されており、これらの上端面にて出力側導電金具３０の上段端子面３１が支持される。
【００２８】
下段部１６は、左右に延びる立壁部１６１を前方側に備えると共に、立壁部１５３と立壁部１６１との間で前後に延びる２つの立壁部１６２が等間隔で設けられている。立壁部１６１上端面の高さは、立壁部１５３上端面よりも一段低く設定されている。一方、立壁部１６２上端面は、立壁部１６１上端面の高さよりも出力側導電金具３０の厚さ分低く設定されており、立壁部１６２上端面にて出力側導電金具３０の下段端子面３１が支持される。
【００２９】
中間部１３は、入力側台座部１２の立壁部１２３と出力側台座部１４の立壁部１５１との間でこれらの上端面よりも低い位置で架け渡された水平面を備えている。
【００３０】
各側壁部１９は、台座部１１に取り付けられる各部材の高さよりも高く設定されており、台座部１１の中間部１３に隣接する前後方向中央部分が一段高くなっている。また、各側壁部１９の後端近傍及び前端近傍に透明カバー６０取付け用の雌ネジ金具がそれぞれ埋設されている（図示せず）。また、各側壁部１９の前後方向中央部分の上面には、記号板５０の両端が嵌め込まれる凹部１９１が形成されている。さらに、各側壁部１９における前後の外側面下端には、端子台１を配電盤等に取り付けるための取付け孔１９５ａを有する取付け部１９５がそれぞれ突設されている。
【００３１】
入力側導電金具２０は、平面視略矩形状を呈する銅や黄銅等からなる金属板である。入力側導電金具２０の後方寄り中央には、入力端子ボルト２１が挿通されるボルト挿通孔２０ａが形成され、下面には入力端子ボルト２１と螺合するナット２０ｂがボルト挿通孔２０ａと同軸的に取り付けられている。入力側導電金具２０の前後方向中央には、取付けネジ２２が挿通される左右２つの取付け孔２０ｃが形成されている。入力側導電金具２０の前方寄り中央には、ヒューズ取付けボルト４３が螺合するヒューズ取付け孔が形成されている。そして、２つの取付け孔２０ｃに皿ネジである取付けネジ２２をそれぞれ挿通し、ボス部１２２ａに埋設された雌ネジ金具（図示せず）に螺合することにより、入力側導電金具２０が入力側台座部１２に固定される。
【００３２】
一方、出力側導電金具３０は、平面視略矩形状を呈する銅や黄銅等からなる金属板に折り曲げ加工を施して、二段曲げ形状に屈曲させたものである。出力側導電金具３０は、段違いに２つの端子面、すなわち、上段端子面３１及び下段端子面３２が形成されている。
【００３３】
上段端子面３１の後方寄り中央には、ヒューズ取付けボルト４３が螺合するヒューズ取付け孔が形成されている。上段端子面３１の前後方向中央には、皿ネジである取付けネジ３３が挿通される左右２つの取付け孔が形成されている。上段端子面３１の前方寄りには、出力端子ネジ３４が螺合するネジ孔が左右に２個形成されている。また、下段端子面３２には、出力端子ネジ３４が螺合する３個のネジ孔が左右に等間隔で形成されている。そして、２つの取付け孔に取付けネジ３３をそれぞれ挿通し、ボス部１５２ａに埋設された雌ネジ金具（図示せず）に螺合することにより、出力側導電金具３０が出力側台座部１３に固定される。尚、出力側導電金具３０において上段端子面３１及び下段端子面３２の各ネジ孔に螺合する各出力端子ネジ３４が本考案の出力端子部を構成するものである。
【００３４】
ヒューズ４０は、公知のネジ締め型ヒューズであって、ヒューズ本体４１の両端に一対のタブ端子４２が突出して設けられ、各タブ端子４２にネジ止め孔が形成されている。ヒューズ４０は、両側のタブ端子４２のネジ止め孔にヒューズ取付けボルト４３をそれぞれ挿通し、その一方を入力側導電金具２０前方寄り中央のヒューズ取付け孔に螺合して締付けると共に、他方を出力側導電金具３０（上段端子面３１）後方寄り中央のヒューズ取付け孔に螺合して締付けることにより、入力側導電金具２０と出力側導電金具３０とを電気的に導通するように取り付けられる。
【００３５】
記号板５０は、ケース１０の左右方向長さに略等しい長さを有する合成樹脂製の細長い長方形板であり、入力側導電金具２０又は出力側導電金具３０に接続される複数の電線を識別するための数字や記号が上面に記入される。記号板５０は、両側壁部１９における前後方向中央部分上面の間に架け渡され、透明カバー６０下面との間に挟持される。
【００３６】
透明カバー６０は、ポリカーボネート等の透明樹脂材料からなり、ケース１０上面を覆うように着脱可能に取付けられるカバー部材である。透明カバー６０は、後部がケース１０後端よりも後方側へ突出し且つ前部がケース１０前端よりも前方側へ突出している。また、透明カバー６０は、左右の側壁部の内面がケース１０の両側壁部１９に外側から接するように、左右幅がケース１０の両側壁部１９間の長さよりも若干大きく形成されている。また、ケース１０後部には、入力側の電線を通すためにアーチ状に切り欠かれた切り欠き部６０ａが設けられ、同様に、前部には、出力側の電線を通すためにアーチ状に切り欠かれた切り欠き部６０ｂが設けられている。また、透明カバー６０の四隅には、取付けネジ６１が挿通される挿通孔６０ｃがそれぞれ形成されている。
【００３７】
次に、端子台１における電源入力側及び電源出力側の電線接続例について、図３及び
４を参照しつつ説明する。図３は、端子台１の使用状態を示す図であり、（ａ）は平面図、（ｂ）は正面図、（ｃ）は側面図である。図４は、図３（ｂ）における端子台１のＢ−Ｂ線断面図である。端子台１には、電源入力側（６００Ｖ−２５０Ａ）に１本の入力側電線Ｃ１が接続され、電源出力側（６００Ｖ−４０Ａ）に５本の出力側電線Ｃ２がそれぞれ接続される。また、端子台１は、４か所の取付け部１９５において図示しない取付けボルトを介して配電盤に固定されているものとする。
【００３８】
まず、ケース１０から透明カバー６０及び記号板５０を取り外した状態で、入力側電線Ｃ１を入力側導電金具２０に接続する。すなわち、入力端子ボルト２１の足部を入力側電線Ｃ１先端の圧着端子ＣＴ１の孔に座金を介して挿通し、さらに入力側導電金具２０後方寄り中央のボルト挿通孔に挿通し螺合して締付けることにより、圧着端子ＣＴ１を入力側導電金具２０の端子面に固着する。
【００３９】
次に、５本の出力側電線Ｃ２のうち３本を、出力側導電金具３０の下段端子面３２に接続する。すなわち、出力端子ネジ３４の足部を、３本の出力側電線Ｃ２先端に設けられた圧着端子ＣＴ２の孔に座金を介してそれぞれ挿通し、下段端子面３２に設けられた３個のネジ孔にそれぞれ螺合して締付けることにより、３個の圧着端子ＣＴ２を下段端子面３２に固着する。
【００４０】
次いで、残り２本の出力側電線Ｃ２を出力側導電金具３０の上段端子面３１に接続する。すなわち、出力端子ネジ３４の足部を、２本の出力側電線Ｃ２先端に設けられた圧着端子ＣＴ２の孔に座金を介して挿通し、上段端子面３１に設けられた２個のネジ孔にそれぞれ螺合して締付けることにより、２個の圧着端子ＣＴ２を上段端子面３１に固着する。
【００４１】
このようにして１本の入力側電線Ｃ１及び５本の出力側電線Ｃ２の接続が完了した後、記号板５０を左右に長手方向を向け、ケース１０の各側壁部１９上面に形成された凹部１９１に嵌め込む。
【００４２】
続いて、透明カバー６０をケース１０左右両側の側壁部１９上に位置合わせしつつ載置し、四隅の各挿通孔に取付けネジ６１をそれぞれ挿通して側壁部１９上部の各雌ネジ金具にそれぞれ螺合することにより、透明カバー６０がケース１０上面を覆う状態で固定される。
【００４３】
そして、端子台１において、入力側電線Ｃ１に入力された６００Ｖ−２５０Ａの入力電源は、各出力側電線Ｃ２によって６００Ｖ−４０Ａの５本の出力電源に分岐される。
【００４４】
ここで、出力側電線Ｃ２に接続された電気回路（インバータ、サーボ、トランス、バッテリ、コンデンサ、ＵＰＳ等）に異常が生じてヒューズ４０に定格以上の電流が流れると、ヒューズ４０は、自らを流れる電流によって発生したジュール熱によって溶断する。これによって、定格以上の大電流から電気回路を保護することができる。
【００４５】
尚、入力側電線Ｃ１に過電流防止用のブレーカーが接続されている場合、理論上、ブレーカーによって過大電流を断つことが可能である。しかしながら、ブレーカーは急激な過大電流の発生に対する作動タイミングが遅く、瞬時に過大電流を遮断できない場合があり得る。本実施形態では、入力側にブレーカーが接続された場合には、端子台１が即断性に優れたヒューズを備えることによって、より安定した保護回路を形成し、二重安全性を確保することができる。
【００４６】
以上詳述したことから明らかなように、本実施形態によれば、絶縁性の筐体であるケース１０と、ケース１０に固定される入力側導電金具２０と、ケース１０に入力側導電金具２０とは離間して固定される出力側導電金具３０と、入力側導電金具２０と出力側導電金具３０とを導通するヒューズ４０とを備え、出力側導電金具３０に複数（５個）の出力端子部としての出力端子ネジ３４が設けられているので、出力側導電金具３０の各端子部（出力端子ネジ３４）に出力側電線Ｃ２を介して接続された電気回路を、定格以上の電流によって溶断するヒューズ４０によって異常電流から保護可能であると共に、入力側導電金具２０に供給される入力電源を複数の出力端子部（出力端子ネジ３４）が設けられた出力側導電金具３０によってコンパクトなサイズで分岐して複数の出力電源として出力することができる。
【００４７】
すなわち、入力と出力とが１対１で設けられた従来のヒューズ付き端子台では、入力電源を分岐して複数の出力電源として出力するためには、例えば、端子台とは別に複数の端子部を有する銅バーを設けると共に、出力側導電金具と銅バーとをショートバー等を介して接続する必要があった（図６参照）。これに対し、本実施形態によれば、銅バーやショートバーを設けることなく、よりコンパクトなサイズで出力電源を分岐することができる。
【００４８】
また、上述した従来のヒューズ付き端子台では、出力側導電金具にショートバー及び銅バーが接続されることにより、接触抵抗が大きくなるため、特に出力側の電気回路から逆流する異常電流に対してヒューズの即断性が低下するという問題があった。これに対し、本実施形態では、出力側が１枚の導電金具（すなわち出力側導電金具３０）のみからなるため、上述した問題はなく、入力側及び出力側のいずれからの異常電流に対してもヒューズ４０の即断性を確保することができる。さらに、出力側における導電部材の材料（銅等の金属）の使用量が少なくなり、端子台１をより安価に製造することが可能となる。
【００４９】
また、出力側導電金具３０は、各出力端子ネジ３４が設けられる端子面が段違いに複数（二段に）形成されているので、出力側導電金具３０並びにケース１０のサイズを小さく設定することができ、端子台１全体をコンパクト化することが可能となる。また、出力端子ネジ３４が設けられる各端子面が段違いとなっているため、各出力端子ネジ３４に接続される出力側電線Ｃ２同士が干渉することがなく、各電線Ｃ２の接続作業を容易に行うことができる。
【００５０】
また、出力側導電金具３０の各端子面に設けられた各出力端子ネジ３４の水平位置は、出力側電線Ｃ２接続方向と交差する方向において互いに異なるように設定されているので、メンテナンス時における出力端子ネジ３４のネジ締め点検等の際に、段違いの他の端子面に設けられた出力端子ネジ３４に接続された電線Ｃ２にドライバ等の工具が接触することなく、ネジの増す締め作業等を効率的に行うことができる。
【００５１】
さらに、ケース１０の左右両端に側壁部１９がそれぞれ立設されると共に、側壁部１９に着脱可能に取付けられてケース１０上面を覆う透明カバー６０を備えているので、作業者が通電中の入力側導電金具２０又は出力側導電金具３０等に誤って接触して感電する事故等を防止することができると共に、透明カバー６０を取付けた状態で入力端子ボルト２１や出力端子ネジ３４における各電線の接続状態等の目視確認を行うことができる。また、金属片等の異物が、端子台１の導電金具上に落下して入り込むことを防止することができる。
【００５２】
尚、本考案は上述した実施の形態に限定されるものではなく、本考案の主旨を逸脱しない範囲で種々の変更を施すことが可能であることは云うまでもない。
【００５３】
例えば、上記実施形態では、ヒューズ４０としてネジ締め式のヒューズを採用し、ヒューズ４０両端のタブ端子４２を入力側導電金具２０と出力側導電金具３０とにヒューズ取付けボルト４３を用いてそれぞれ接続する構成としたが、これには限られない。例えば、ヒューズ４０として公知のクリップ式（クリップ型ホルダ固定式）のヒューズを採用してもよい。図５は、クリップ式のヒューズ４０’を採用した変形例の端子台１’を示す図であり、（ａ）は平面図、（ｂ）は正面図である。端子台１’は、ネジ締め式のヒューズ４０に代えて、管状のヒューズ本体４１’両端に端子部４２’を備えたクリップ式のヒューズ４０’を備えている。また、ヒューズ取付けボルト４３に代えて、入力側導電金具２０と出力側導電金具３０とにそれぞれヒューズホルダ４３’が取り付けられている。ヒューズ４０’の両端の端子部４２’を、入力側導電金具２０及び出力側導電金具３０のヒューズホルダ４３’にてそれぞれ挟持させることにより、ヒューズ４０’が入力側導電金具２０と出力側導電金具３０とを導通するように取り付けられる。
【００５４】
また、上記実施形態では、一つの入力電源を５つの出力電源に分岐する１入力−５出力用の構成例を示したが、これには限られない。例えば、入力数：出力数を、１：３，１：４，１：６，２：３，２：４，２：５，又は２：６のように設定してもよい。また、上記実施形態では、出力側導電金具３０を二段曲げ形状としたが、一段の端子面のみでもよく、三段以上の端子面を設ける構成としてもよい。
【００５５】
さらに、上記実施形態では、端子台１の極数を１（台座部１１が１つのみ）とした例を示したが、これには限られず、２以上の極数を有する構成としてもよい。例えば、端子台１において台座部１１を左右に隣接して複数（例えば、２〜６個）配置し、隣接する各台座部１１間にそれぞれ隔壁部を立設する構成としてもよい。特に、３相電源を複数に分岐する用途においては、端子台１の極数を３とすることが好ましい。具体的には、端子台１に３個の台座部１１を左右に隣接配置し且つ各台座部１１間に隔壁部を立設して各台座部１１を隔てる構成とすることにより、３相の入力電源の各相をそれぞれ複数（例えば５つ）の出力電源に分岐するようにしてもよい。さらに、ケース１０を１極ごとのブロックに分割し、所望数の分割ブロックをシャフト等で一体化して端子台１を形成する構成としてもよい。このように分割ブロック構成を採用することにより、端子台１における極数を自在に増減することが可能となる。
【産業上の利用可能性】
【００５６】
本考案は、ヒューズ付きの端子台において、コンパクト且つ安価な構成で入力電源を分岐して複数の出力電源として出力することが必要とされる場合に利用可能である。
【符号の説明】
【００５７】
１、１’  端子台
１０  ケース（筐体）
２０  入力側導電金具
３０  出力側導電金具
３１  上段端子面
３２  下段端子面
３４  出力端子ネジ（出力端子部）
４０  ヒューズ（ネジ締め式のヒューズ）
４０’  ヒューズ（クリップ式ヒューズ）
４３  ヒューズ取付けボルト（金属ネジ）
４３’  ヒューズホルダ（金属ホルダ）
Ｃ１  入力側電線
Ｃ２  出力側電線
【図１】
0003165637.tif 000003
【図２】
0003165637.tif 000004
【図３】
0003165637.tif 000005
【図４】
0003165637.tif 000006
【図５】
0003165637.tif 000007
【図６】
0003165637.tif 000008
【図７】
0003165637.tif 000009